(57)【要約】【課題】部材の固着が生じてもファンの着脱が容易な取付アダプタおよびレンジフードを提供する。【解決手段】レバー部材１ａは、操作部１ａｂへの操作により第１スライド姿勢と第２スライド姿勢との間で移動可能で、第１スライド姿勢において回転軸６ｂの雄ネジ部６ｄと噛み合う雌ネジ部ＲＡ１と、第２スライド姿勢において雄ネジ部６ｄと雌ネジ部ＲＡ１との噛み合いが解除されるように回転軸６ｂを挿通する穴部ＲＢとを有する。雌ネジ部ＲＡ１を有するネジ穴ＲＡと穴部ＲＢとは互いに連通している。ネジ穴ＲＡは雌ネジ部ＲＡ１と穴部ＲＢとの間に噛み合い部ＲＡ２を有し、噛み合い部ＲＡ２は雌ネジ部ＲＡ１から穴部ＲＢに向かって雌ネジ部６ｄの接線方向に直線状に延び、雄ネジ部６ｄに噛み合う。【選択図】図８
2020105935.tif 000002
【特許請求の範囲】
【請求項１】
雄ネジ部を含む回転軸を有する駆動源の前記回転軸にファン部材を固定する取付アダプタであって、
外部からの操作を受ける操作部を有し、前記操作部への操作により第１姿勢と第２姿勢との間で移動可能で、前記第１姿勢において前記雄ネジ部と噛み合う雌ネジ部と、前記第２姿勢において前記雄ネジ部と前記雌ネジ部との噛み合いが解除されるように前記回転軸を挿通する穴部とを有するレバー部材と、
前記レバー部材が前記第２姿勢となるように付勢する付勢部材とを備え、
前記雌ネジ部を有するネジ穴と前記穴部とは互いに連通しており、
前記ネジ穴は、前記雌ネジ部と前記穴部との間に位置する噛み合い部を有し、
前記噛み合い部は、前記雌ネジ部から前記穴部に向かって前記雌ネジ部の接線方向に直線状に延び、かつ前記雄ネジ部に噛み合う、取付アダプタ。
【請求項２】
前記噛み合い部は山部と谷部とを有し、
前記山部および前記谷部の各々は、前記雌ネジ部から前記穴部に向かう方向に直線状に延びており、
前記山部は前記雌ネジ部のネジ山部に繋がり、前記谷部は前記雌ネジ部のネジ谷部に繋がっている、請求項１に記載の取付アダプタ。
【請求項３】
前記噛み合い部は平面視において幅を維持しながら前記雌ネジ部から前記穴部へ延びている、請求項１または請求項２に記載の取付アダプタ。
【請求項４】
前記穴部の開口径は、前記雌ネジ部の谷の径よりも大きい、請求項１から請求項３のいずれか１項に記載の取付アダプタ。
【請求項５】
前記噛み合い部は、前記雌ネジ部の高さ全体に亘って設けられている、請求項１から請求項４のいずれか１項に記載の取付アダプタ。
【請求項６】
前記ネジ穴の延びる方向と前記穴部の延びる方向とは互いに平行である、請求項１から請求項５のいずれか１項に記載の取付アダプタ。
【請求項７】
前記レバー部材が前記第２姿勢となるように前記レバー部材をロックする作動部材をさらに備えた、請求項１から請求項６のいずれか１項に記載の取付アダプタ。
【請求項８】
前記作動部材は、前記レバー部材に引っ掛ける爪部を有し、
前記爪部が前記レバー部材に引っ掛けられることにより、前記レバー部材が前記第２姿勢を維持するように前記作動部材が前記レバー部材をロックする、請求項７に記載の取付アダプタ。
【請求項９】
雄ネジ部を含む回転軸を有する駆動源と、
ファン部材と、
前記ファン部材を前記駆動源の前記回転軸に固定する取付アダプタとを備え、
前記取付アダプタは、
外部からの操作を受ける操作部を有し、前記操作部への操作により第１姿勢と第２姿勢との間で移動可能で、前記第１姿勢において前記雄ネジ部と噛み合う雌ネジ部と、前記第２姿勢において前記雄ネジ部と前記雌ネジ部との噛み合いが解除されるように前記回転軸を挿通する穴部とを有するレバー部材と、
前記レバー部材が前記第２姿勢となるように付勢する付勢部材とを有し、
前記雌ネジ部を有するネジ穴と前記穴部とは互いに連通しており、
前記雌ネジ部は、前記ネジ穴と前記穴部との結合部において前記ネジ穴から前記穴部に向かって前記ネジ穴の接線方向に直線状に延び、かつ前記雄ネジ部に噛み合う噛み合い部を有する、レンジフード。
【発明の詳細な説明】
【技術分野】
【０００１】
本発明は、取付アダプタおよびレンジフードに関するものである。
【背景技術】
【０００２】
レンジフードにおけるファンの取り付け構造に関し、従来、ファンをワンタッチ操作で着脱可能なレンジフードが特開２０１８−７１８６９号公報（特許文献１）に開示されている。
【０００３】
特許文献１に記載のワンタッチ取り外し操作においては、まずファンボスの外周部に備えられた解除ノブがボス中心側に押し込み操作される。これにより、内蔵されているロック爪が係合付勢力に抗して係合解除方向に強制後退される。この状態で排気用ファンが下方に引き下げられることにより回転軸から引き抜かれて、レンジフードから取り外される。
【先行技術文献】
【特許文献】
【０００４】
【特許文献１】特開２０１８−７１８６９号公報
【発明の概要】
【発明が解決しようとする課題】
【０００５】
しかしながら特許文献１に記載のレンジフードでは、ワンタッチ着脱機構を構成する部材同士が油汚れ、錆などで固着することが考えられる。この場合、ワンタッチ着脱機構が正しく動作せず、排気用ファンが外せなくなるおそれがある。
【０００６】
本発明は、上記の課題に鑑みてなされたものであり、その目的は、部材の固着が生じてもファンの着脱が容易な取付アダプタおよびレンジフードを提供することである。
【課題を解決するための手段】
【０００７】
本発明の取付アダプタは、雄ネジ部を含む回転軸を有する駆動源の回転軸にファン部材を固定する取付アダプタであって、レバー部材と、付勢部材とを備えている。レバー部材は、外部からの操作を受ける操作部を有し、操作部への操作により第１姿勢と第２姿勢との間で移動可能で、第１姿勢において雄ネジ部と噛み合う雌ネジ部と、第２姿勢において雄ネジ部と雌ネジ部との噛み合いが解除されるように回転軸を挿通する穴部とを有している。付勢部材は、レバー部材が第２姿勢となるように付勢している。雌ネジ部を有するネジ穴と穴部とは互いに連通している。ネジ穴は、雌ネジ部と穴部との間に位置する噛み合い部を有している。噛み合い部は、雌ネジ部から穴部に向かって雌ネジ部の接線方向に直線状に延び、かつ雄ネジ部に噛み合う。
【０００８】
本発明の取付アダプタによれば、レバー部材は、第１姿勢と第２姿勢との間で移動可能で、第１姿勢において雄ネジ部と噛み合う雌ネジ部と、第２姿勢において雄ネジ部と雌ネジ部との噛み合いが解除されるように回転軸を挿通する穴部とを有している。このためレバー部材の姿勢を第１姿勢に操作することにより、取付アダプタを回転軸の雄ネジ部に螺合により着脱することが可能となる。またレバー部材の姿勢を第２姿勢に操作することにより、回転軸の雄ネジ部とナット部材の雌ネジ部との係合を解除した状態で取付アダプタを回転軸に着脱することが可能となる。このためレバー部材が油汚れ、錆などにより他の部材と固着した場合でも、レバー部材を操作することなしに、取付アダプタを螺合により回転軸に対して着脱することができる。よって油汚れ、錆などによる固着が生じてもファンの着脱が容易である。
【０００９】
上記取付アダプタにおいて、噛み合い部は山部と谷部とを有している。山部および谷部の各々は、雌ネジ部から穴部に向かう方向に直線状に延びている。山部は雌ネジ部のネジ山部に繋がり、谷部は雌ネジ部のネジ谷部に繋がっている。
【００１０】
これにより回転軸の雄ネジ部を雌ネジ部と穴部との間でスムーズに移動させることが可能となる。
【００１１】
上記取付アダプタにおいて、噛み合い部は平面視において幅を維持しながら雌ネジ部から穴部へ延びている。
【００１２】
これにより回転軸の雄ネジ部が雌ネジ部と穴部との間で移動する間の全体において、雄ネジ部を噛み合い部と噛み合わせることが可能となる。
【００１３】
上記取付アダプタにおいて、穴部の開口径は、雌ネジ部の谷の径よりも大きい。
これにより回転軸の雄ネジ部がネジ穴に配置されたときには雌ネジ部に噛み合わせることができるとともに、穴部に配置されたときには穴部と干渉させないことができる。
【００１４】
上記取付アダプタにおいて、噛み合い部は、雌ネジ部の高さ全体に亘って設けられている。
【００１５】
これにより回転軸の雄ネジ部を雌ネジ部と穴部との間でスムーズに移動させることが可能となる。
【００１６】
上記取付アダプタにおいて、ネジ穴の延びる方向と穴部の延びる方向とは互いに平行である。
【００１７】
これによりレバー部材をスライド移動させることで、回転軸の雄ネジ部をネジ穴と穴部とのいずれかに配置することができる。
【００１８】
上記取付アダプタは、レバー部材が第２姿勢となるようにレバー部材をロックする作動部材をさらに備えている。
【００１９】
これによりレバー部材を第２姿勢で保持することができる。よってレバー部材が第２姿勢にある状態で回転軸を穴部に挿入する作業が容易となる。
【００２０】
上記取付アダプタにおいて、作動部材は、レバー部材に引っ掛ける爪部を有している。爪部がレバー部材に引っ掛けられることにより、レバー部材が第２姿勢を維持するように作動部材がレバー部材をロックする。
【００２１】
これにより作動部材の爪部をレバー部材に引っ掛けるという簡易な構成で、レバー部材が第２姿勢を維持するように作動部材によってレバー部材をロックすることが可能となる。
【００２２】
本発明のレンジフードは、雄ネジ部を含む回転軸を有する駆動源と、ファン部材と、ファン部材を駆動源の回転軸に固定する取付アダプタとを備えている。取付アダプタは、レバー部材と、付勢部材とを有している。レバー部材は、外部からの操作を受ける操作部を有し、操作部への操作により第１姿勢と第２姿勢との間で移動可能で、第１姿勢において雄ネジ部と噛み合う雌ネジ部と、第２姿勢において雄ネジ部と雌ネジ部との噛み合いが解除されるように回転軸を挿通する穴部とを有している。付勢部材は、レバー部材が第２姿勢となるように付勢している。雌ネジ部を有するネジ穴と穴部とは互いに連通している。雌ネジ部は、ネジ穴と穴部との結合部においてネジ穴から穴部に向かってネジ穴の接線方向に直線状に延び、かつ雄ネジ部に噛み合う噛み合い部を有している。
【００２３】
本発明のレンジフードによれば、レバー部材は、第１姿勢と第２姿勢との間で移動可能で、第１姿勢において雄ネジ部と噛み合う雌ネジ部と、第２姿勢において雄ネジ部と雌ネジ部との噛み合いが解除されるように回転軸を挿通する穴部とを有している。このためレバー部材の姿勢を第１姿勢に操作することにより、取付アダプタを回転軸の雄ネジ部に螺合により着脱することが可能となる。またレバー部材の姿勢を第２姿勢に操作することにより、回転軸の雄ネジ部とナット部材の雌ネジ部との係合を解除した状態で取付アダプタを回転軸に着脱することが可能となる。このためレバー部材が油汚れ、錆などにより他の部材と固着した場合でも、レバー部材を操作することなしに、取付アダプタを螺合により回転軸に対して着脱することができる。よって油汚れ、錆などによる固着が生じてもファンの着脱が容易である。
【発明の効果】
【００２４】
以上説明したように本発明によれば、部材の固着が生じてもファンの着脱が容易な取付アダプタおよびレンジフードを実現することができる。
【図面の簡単な説明】
【００２５】
【図１】本発明の一実施の形態におけるレンジフードの構成を示す斜視図である。
【図２】図１のレンジフードの構成を示す断面図である。
【図３】図１のレンジフードにおけるスピンナー付近の構成を示す斜視図である。
【図４】図１のレンジフードの一部の構成を示す分解斜視図である。
【図５】図１のレンジフードにおけるスピンナー付近の構成であってレバー部材の雌ネジ部に回転軸の雄ネジ部が螺合した状態にある構成を示す断面図である。
【図６】図５に示されるレバー部材の構成を示す上方斜視図である。
【図７】図５に示されるレバー部材のの貫通孔の構成を示す平面図（Ａ）および断面図（Ｂ）である。
【図８】図１のレンジフードにおけるスピンナー付近の構成であってレバー部材の雌ネジ部と回転軸の雄ネジ部との螺合が解除された状態にある構成を示す断面図である。
【図９】図５に示されるスピンナーに含まれるレバー部材、付勢部材および作動部材などの構成を示す下方斜視図である。
【図１０】図５に示されるスピンナーにおけるレバー部材の操作部がスピンナー本体から突き出した第１状態を説明するための断面図である。
【図１１】図５に示されるスピンナーにおけるレバー部材の操作部がスピンナー本体に押し込まれた第２状態を説明するための断面図である。
【図１２】図５に示されるスピンナーを用いた場合の効果を説明するための図である。
【発明を実施するための形態】
【００２６】
以下、本発明の実施の形態について図に基づいて説明する。
なお、明細書および図面において、同一の構成要素または対応する構成要素には、同一の符号を付し、重複する説明を繰り返さない。また、図面では、説明の便宜上、構成を省略または簡略化している場合もある。
【００２７】
＜レンジフードの構成＞
まず本発明の一実施の形態におけるレンジフードの構成について図１および図２を用いて説明する。
【００２８】
図１に示されるように、本実施の形態におけるレンジフード１０は、たとえばコンロ（図示せず）の上方に配設されるものである。このレンジフード１０は、本体ハウジング１１、フードケース１２、整流板１３、内装パネル１４などを有している。
【００２９】
本体ハウジング１１は、箱形の形状を有している。本体ハウジング１１の内部には、スピンナー１（取付アダプタ）、ファン部材４などが配置されている。本体ハウジング１１の下端には、フードケース１２が接続されている。フードケース１２の下端には開口が設けられている。
【００３０】
フードケース１２の開口の内側には、整流板１３と内装パネル１４とが装着されている。整流板１３と内装パネル１４との間の隙間は、本体ハウジング１１の内部空間１１ａ（図２）に通じている。
【００３１】
図２に示されるように、本体ハウジング１１の内部空間１１ａには、スピンナー１と、ファン部材４、モータ６、ファンケーシング８などが配置されている。
【００３２】
ファンケーシング８の底面には吸込口８ａが設けられている。ファンケーシング８の内部空間８ｂは、吸込口８ａを通じて、整流板１３と内装パネル１４との間の隙間１５に通じている。またファンケーシング８は、本体ハウジング１１の外方に延出された排気ダクト（図示せず）に接続されている。
【００３３】
ファン部材４は、ファンケーシング８の内部空間８ｂ内であって吸込口８ａの上方に配置されている。ファン部材４は、ベース部材２と、排気用ファン３とを有している。
【００３４】
排気用ファン３は、たとえばシロッコファンである。この排気用ファン３は、複数のファンブレード３ａと、上部支持板３ｂと、下部支持板３ｃとを有している。複数のファンブレード３ａは、周方向に一定のピッチで配置されている。上部支持板３ｂは、複数のファンブレード３ａの各々の上端を支持している。下部支持板３ｃは、複数のファンブレード３ａの各々の下端を支持している。上部支持板３ｂおよび下部支持板３ｃの各々は、円環形状を有している。
【００３５】
ベース部材２は、上部支持板３ｂにおける円環形状の中心に固定されている。ベース部材２は、たとえばボルトなどにより上部支持板３ｂに着脱可能に取り付けられている。
【００３６】
モータ６は、たとえばＡＣ（Alternating  Current）モータである。モータ６は、モータ本体６ａと、回転軸６ｂと、突出部６ｃとを有している。モータ本体６ａは、本体ハウジング１１に固定されている。モータ本体６ａの一部は、ファンケーシング８の内部空間８ｂ内に配置されている。回転軸６ｂは、ファンケーシング８の内部空間８ｂ内においてモータ本体６ａの下端から下方に延びている。突出部６ｃは、回転軸６ｂの外周面から径方向外方に向かって突き出している。
【００３７】
モータ６の回転軸６ｂには、ファン部材４が取り付けられている。ファン部材４に含まれるベース部材２は、モータ６の回転軸６ｂに嵌合する嵌合部２ｄを有している。ファン部材４の嵌合部２ｄがモータ６の突出部６ｃに嵌合することにより、ファン部材４は回転軸６ｂに対して相対回転不能に取り付けられている。
【００３８】
スピンナー１は、モータ６の回転軸６ｂに螺合により取り付けられている。またスピンナー１は、モータ６の回転軸６ｂに対して螺合により着脱可能であるとともに、ワンタッチ操作により着脱可能でもある。スピンナー１は、ファン部材４に対して相対回転可能となるようにファン部材４に取り付けられている。
【００３９】
＜スピンナー、ファン部材およびモータの構成＞
次に、上記スピンナー１、ファン部材４（ベース部材２、排気用ファン３）およびモータ６の詳細な構成について図３〜図９を用いて説明する。
【００４０】
図３に示されるように、スピンナー１は、排気用ファン３の上部支持板３ｂの下方に配置されている。スピンナー１は、図２に示されるファン部材４をモータ６の回転軸６ｂに着脱するためのものである。
【００４１】
図４に示されるように、ファン部材４に含まれるベース部材２は、円筒部２ａと、円環部２ｂと、フランジ部２ｃと、嵌合部２ｄと、貫通孔２ｅとを有している。
【００４２】
円筒部２ａは、円筒形状を有している。円環部２ｂは、円筒部２ａの下端において円筒部２ａの外周面の全周から外方へ張り出している。円環部２ｂは、排気用ファン３の上部支持板３ｂにボルト７ｃなどの固定部材により固定される部分である。
【００４３】
フランジ部２ｃは、円環部２ｂの下端において円環部２ｂの外周面の全周から外方へ張り出している。フランジ部２ｃは、後述する押さえ部材１ｇの内方張り出し部１ｇｂと当接する部分である。
【００４４】
嵌合部２ｄは、円筒部２ａの上端に設けられている。嵌合部２ｄは、複数の凸部と、複数の凹部とにより構成されている。複数の凸部の各々は、円筒部２ａの上端から上方に突き出している。複数の凹部の各々は、凸部の上端から下方に窪んだ部分である。複数の凸部および複数の凹部は、凸部と凹部とが周方向に交互に並ぶように配置されている。この凹部は、回転軸６ｂから突き出した突出部６ｃが嵌め込まれる部分である。本実施の形態では、凸部および凹部は周方向にたとえば４つずつ配置されている。
【００４５】
貫通孔２ｅは、ベース部材２を貫通している。この貫通孔２ｅは、モータ６の回転軸６ｂを挿通可能に構成されている。
【００４６】
スピンナー１は、レバー部材１ａと、レバー用付勢部材１ｂと、作動部材１ｃと、作動用付勢部材１ｄと、スピンナー本体１ｅと、カバー部材１ｆと、押さえ部材１ｇとを有している。
【００４７】
スピンナー本体１ｅは、たとえば有底筒形状を有している。レバー部材１ａは、レバー本体１ａａと、操作部１ａｂと、付勢部材保持部１ａｃとを主に有している。レバー本体１ａａには、貫通孔１ａｅが設けられている。
【００４８】
操作部１ａｂは、スピンナー１およびファン部材４をレンジフード１０に着脱する作業者が、その着脱作業時に操作する部分である。操作部１ａｂは、レバー本体１ａａの一方側部から側方へ延びている。
【００４９】
付勢部材保持部１ａｃは、レバー本体１ａａの他方側部に設けられている。付勢部材保持部１ａｃが設けられたレバー本体１ａａの他方側部は、操作部１ａｂが取り付けられたレバー本体１ａａの一方側部の反対側に位置している。
【００５０】
レバー用付勢部材１ｂはたとえばバネである。レバー用付勢部材１ｂは、レバー部材１ａの付勢部材保持部１ａｃに取り付けられている。
【００５１】
作動部材１ｃは、作動部本体１ｃａと、爪部１ｃｂとを有している。爪部１ｃｂは、作動部本体１ｃａの側部に設けられ、上方に突き出している。この作動部材１ｃを付勢する作動用付勢部材１ｄはたとえばバネである。
【００５２】
カバー部材１ｆは、カバー部本体１ｆａと、収容部１ｆｂとを有している。カバー部本体１ｆａは、スピンナー本体１ｅに取り付けられる部分である。収容部１ｆｂは、カバー部本体１ｆａの上面に配置されており、内部にレバー部材１ａを収容可能な空間を有している。
【００５３】
押さえ部材１ｇは、円環形状を有しており、中央に貫通孔１ｇｃを有している。貫通孔１ｇｃは、ベース部材２の円筒部２ａおよび円環部２ｂを挿入可能で、かつフランジ部２ｃを挿入不可能に構成されている。具体的には、貫通孔１ｇｃの径は、円環部２ｂの径よりも大きく、かつフランジ部２ｃの径よりも小さい。
【００５４】
押さえ部材１ｇは、本体１ｇａと、内方張り出し部１ｇｂとを有している。本体１ｇａは、円環形状を有している。内方張り出し部１ｇｂは、本体１ｇａの上端において本体１ｇａの内周面から内周側へ張り出している。
【００５５】
内方張り出し部１ｇｂの内周端が上記貫通孔１ｇｃを構成している。このため内方張り出し部１ｇｂの内径は貫通孔１ｇｃの径に等しい。本体１ｇａの内径は、ベース部材２におけるフランジ部２ｃの外径よりも大きい。
【００５６】
図５は、スピンナー１によりファン部材４がモータ６の回転軸６ｂに取り付けられた状態を示している。図５に示されるように、ファン部材４がモータ６の回転軸６ｂに取り付けられた状態においては、ベース部材２の円筒部２ａは上部支持板３ｂの貫通孔３ｂａに挿入されている。このベース部材２の貫通孔２ｅには、回転軸６ｂが挿入されている。また回転軸６ｂの外周側に突き出した突出部６ｃは、ベース部材２の嵌合部２ｄに嵌合している。これによりベース部材２は回転軸６ｂに対して相対回転不能に取り付けられている。
【００５７】
またベース部材２の円環部２ｂには、排気用ファン３の上部支持板３ｂがボルト７ｃなどの固定部材（図４）により固定されている。これにより回転軸６ｂが回転すると、ベース部材２および排気用ファン３の双方が回転軸６ｂとともに回転する。
【００５８】
有底筒形状のスピンナー本体１ｅの上部には、カバー部材１ｆがボルト７ａなどの固定部材（図４）によって取り付けられている。スピンナー本体１ｅとカバー部材１ｆとの間の空間には、レバー部材１ａ、レバー用付勢部材１ｂ、作動部材１ｃ、および作動用付勢部材１ｄが配置されている。
【００５９】
レバー部材１ａは、図５に示す第１姿勢と、図８に示す第２姿勢との間で左右方向にスライド可能である。レバー部材１ａの操作部１ａｂは、スピンナー本体１ｅの外方へ突き出している。レバー部材１ａは、レバー用付勢部材１ｂにより操作部１ａｂがスピンナー本体１ｅから突き出す側（図中右側）へ付勢されている。
【００６０】
レバー部材１ａは、回転軸６ｂを挿入される貫通孔１ａｅを有している。この貫通孔１ａｅは、レバー部材１ａのレバー本体１ａａをレバー部材１ａのスライド方向に直交する方向に貫通している。
【００６１】
作動部材１ｃは、レバー部材１ａの下方に位置している。作動部材１ｃは、作動用付勢部材１ｄによりレバー部材１ａ側に付勢されている。
【００６２】
図６に示されるように、レバー部材１ａの貫通孔１ａｅは、ネジ穴ＲＡと、穴部ＲＢとを有している。ネジ穴ＲＡと穴部ＲＢとは、互いに連通している。ネジ穴ＲＡは穴部ＲＢよりも付勢部材保持部１ａｃの近くに配置されている。穴部ＲＢはネジ穴ＲＡよりも操作部１ａｂの近くに配置されている。
【００６３】
図７（Ａ）に示されるように、ネジ穴ＲＡは、雌ネジ部ＲＡ１と、噛み合い部ＲＡ２とを有している。雌ネジ部ＲＡ１は、平面視において半円形状を有している。噛み合い部ＲＡ２は、平面視において直線形状を有している。
【００６４】
噛み合い部ＲＡ２は、雌ネジ部ＲＡ１と穴部ＲＢとの間に配置されている。噛み合い部ＲＡ２は、雌ネジ部ＲＡ１から穴部ＲＢに向かって雌ネジ部ＲＡ１の接線方向に直線状に延びている。噛み合い部ＲＡ２は、雌ネジ部ＲＡ１から穴部ＲＢに向かって同じ幅（ＤＡ、ＤＢ）を維持しながら延びている。噛み合い部ＲＡ２は雄ネジ部６ｄに噛み合うよう構成されている。
【００６５】
雌ネジ部ＲＡ１の内径ＤＩおよび谷の径（外径）ＤＯの双方は、穴部ＲＢの開口径ＤＲよりも小さく設定されている。噛み合い部ＲＡ２の山部間の幅ＤＡは雌ネジ部ＲＡ１の内径ＤＩと同じ寸法である。噛み合い部ＲＡ２の谷部間の幅ＤＢは雌ネジ部ＲＡ１の谷の径ＤＯと同じ寸法である。
【００６６】
図７（Ｂ）に示されるように、噛み合い部ＲＡ２は、穴部ＲＢから雌ネジ部ＲＡ１へ向かう方向に直線状に延びる複数の山部と複数の谷部（溝部）とを有している。複数の山部と複数の谷部とは、山部と谷部とが回転軸６ｂの軸方向（図中Ｄ方向）に交互に位置するように配置されている。
【００６７】
噛み合い部ＲＡ２の山部は雌ネジ部ＲＡ１のネジ山部に繋がっている。また噛み合い部ＲＡ２の谷部は雌ネジ部ＲＡ１のネジ谷部に繋がっている。噛み合い部ＲＡ２は雌ネジ部ＲＡ１の高さ方向の全体に亘って設けられている。
【００６８】
ネジ穴ＲＡは一点鎖線Ｌ１に沿って延びている。穴部ＲＢは一点鎖線Ｌ２に沿って延びている。ネジ穴ＲＡが延びる方向（一点鎖線Ｌ１の延びる方向）と穴部ＲＢが延びる方向（一点鎖線Ｌ２が延びる方向）とは互いに平行である。ネジ穴ＲＡが延びる方向と穴部ＲＢが延びる方向との各々は、レバー部材１ａがスライド移動する方向に直交する方向である。
【００６９】
一方、穴部ＲＢの壁面には、ネジ部は形成されていない。また穴部ＲＢの開口径ＤＲは回転軸６ｂの雄ネジ部６ｄの外径よりも大きい。
【００７０】
図５に示されるように、レバー部材１ａが第１姿勢にある状態では、回転軸６ｂの雄ネジ部６ｄがレバー部材１ａの雌ネジ部ＲＡ１に挿入されている。この状態において、回転軸６ｂの雄ネジ部６ｄと雌ネジ部ＲＡ１の雌ネジとは互いに噛み合っている。
【００７１】
また図８に示されるように、レバー部材１ａが第２姿勢にある状態では、回転軸６ｂの雄ネジ部６ｄがレバー部材１ａの穴部ＲＢに挿入されている。この状態において、回転軸６ｂの雄ネジ部６ｄと雌ネジ部ＲＡ１の雌ネジとの噛み合いは解除されている。またこの状態において、回転軸６ｂの雄ネジ部６ｄと穴部ＲＢの壁面との間には隙間があり、回転軸６ｂの雄ネジ部６ｄは穴部ＲＢの壁面に干渉していない。
【００７２】
また図５に示す第１姿勢と図８に示す第２姿勢との間でレバー部材１ａがスライド移動する際、回転軸６ｂの雄ネジ部６ｄは、噛み合い部ＲＡ２と噛み合いながら雌ネジ部ＲＡ１と穴部ＲＢとの間を移動する。具体的には噛み合い部ＲＡ２の山部が雄ネジ部６ｄのネジ谷部に嵌まり、かつ噛み合い部ＲＡ２の谷部に雄ネジ部６ｄのネジ山部が嵌まった状態で、噛み合い部ＲＡ２と雄ネジ部６ｄとは相対的に移動する。
【００７３】
上記のようにレバー部材１ａを操作することによって、第１姿勢と第２姿勢との間でレバー部材１ａをスライド移動させることができる。またレバー用付勢部材１ｂは、レバー部材１ａが上記第１姿勢となるようにレバー部材１ａを付勢している。
【００７４】
図９に示されるように、レバー部材１ａの下部には、引っ掛け部１ａｄが設けられている。この引っ掛け部１ａｄは、作動部材１ｃの爪部１ｃｂを引っ掛けるための部分である。爪部１ｃｂがレバー部材１ａに引っ掛けられることにより、レバー部材１ａが第２姿勢を維持するように作動部材１ｃがレバー部材１ａをロックすることができる（図１１参照）。
【００７５】
図５に示されるように、押さえ部材１ｇの貫通孔１ｇｃにベース部材２の円環部２ｂが挿通されている。これにより押さえ部材１ｇにおける内方張り出し部１ｇｂの下面とベース部材２におけるフランジ部２ｃの上面とが互いに当接している。押さえ部材１ｇの本体１ｇａは、ボルト７ｂなどの固定部材（図４）によってスピンナー本体１ｅに取り付けられている。
【００７６】
＜スピンナーおよびファン部材の組立方法＞
次に、上記スピンナー１およびファン部材４の組立方法について図４を用いて説明する。
【００７７】
図４に示されるように、スピンナー本体１ｅの内部に、レバー部材１ａ、作動部材１ｃ、および付勢部材１ｂ、１ｄが配置される。
【００７８】
具体的には、スピンナー本体１ｅの内部に作動用付勢部材１ｄが配置され、その作動用付勢部材１ｄにより作動部材１ｃが上方へ付勢されるように組み付けられる。作動部材１ｃの上にレバー部材１ａが配置される。この際、レバー部材１ａの操作部１ａｂの端部がスピンナー本体１ｅの外部に位置づけられる。このレバー部材１ａは、レバー用付勢部材１ｂにより操作部１ａｂがスピンナー本体１ｅの外部へ突き出す方向に付勢されるように組み付けられる。このレバー部材１ａの上に、カバー部材１ｆが配置される。この際、カバー部材１ｆの収容部１ｆｂ内にレバー部材１ａが収容される。この状態でカバー部材１ｆは、スピンナー本体１ｅの上部にたとえばボルト７ａなどの固定部材により固定される。
【００７９】
上記により、レバー部材１ａ、作動部材１ｃ、付勢部材１ｂ、１ｄ、スピンナー本体１ｅ、およびカバー部材１ｆを有する組立体１ａ〜１ｆが組み立てられる。
【００８０】
押さえ部材１ｇの貫通孔１ｇｃに、ベース部材２の円筒部２ａおよび円環部２ｂが挿通される。これにより押さえ部材１ｇの内方張り出し部１ｇｂの下面と、ベース部材２のフランジ部２ｃの上面とが互いに当接する。
【００８１】
押さえ部材１ｇの貫通孔１ｇｃにベース部材２が挿通された状態で、押さえ部材１ｇの本体１ｇａが上記組立体１ａ〜１ｆにボルト７ｂなどの固定部材により固定される。これにより押さえ部材１ｇと上記組立体１ａ〜１ｆとからなるスピンナー１が組み立てられる。
【００８２】
ベース部材２のフランジ部２ｃが上記組立体１ａ〜１ｆと押さえ部材１ｇとの間で挟み込まれている。これによってベース部材２がスピンナー１から抜け落ちることが防止されている。またスピンナー１はベース部材２に固定されていないため、ベース部材２に対して相対回転可能である。
【００８３】
この後、ベース部材２の円筒部２ａが、上部支持板３ｂの貫通孔３ｂａに挿通される。この円筒部２ａが貫通孔３ｂａに挿通された状態で、上部支持板３ｂがベース部材２の円環部にボルト７ｃなどの固定部材により固定される。これによりベース部材２は上部支持板３ｂに相対回転不能に取り付けられる。
【００８４】
上記のように、スピンナー１およびファン部材４が組み立てられる。
なお図４においては、排気用ファン３の上部支持板３ｂのみが示されており、複数のファンブレード３ａおよび下部支持板３ｃが示されていないが、上記組立の際には上部支持板３ｂには複数のファンブレード３ａおよび下部支持板３ｃが組み付けられている。
【００８５】
＜スピンナーとファン部材との組立体をレンジフードに取り付ける方法＞
次に、上記のように組み立てられたスピンナー１およびファン部材４の組立体をレンジフード１０に取り付ける方法について図１０、図１１などを用いて説明する。
【００８６】
なお図示の簡略化のため、図１０および図１１においては押さえ部材１ｇ、ベース部材２、排気用ファン３などの図示は省略されている。
【００８７】
まずはスピンナー１とファン部材４との組立体をモータ６の回転軸６ｂにワンタッチで取り付ける方法について説明する。
【００８８】
図１０に示される状態では、レバー部材１ａがレバー用付勢部材１ｂにより付勢されることにより、操作部１ａｂがスピンナー本体１ｅの外側に突き出している。
【００８９】
スピンナー１とファン部材４との組立体を回転軸６ｂにワンタッチで取り付ける場合には、この状態から操作部１ａｂが、レバー用付勢部材１ｂの付勢力に抗してスピンナー本体１ｅ内に押し込められる。
【００９０】
図１１に示されるように、上記の操作部１ａｂを押し込む操作によりレバー部材１ａは図中左側へスライド移動する。この状態では、作動部材１ｃの爪部１ｃｂは、引っ掛け部１ａｄの操作部１ａｂ側の端部に引っ掛けられる。
【００９１】
この爪部１ｃｂと引っ掛け部１ａｄとの係合により、レバー用付勢部材１ｂに付勢されたレバー部材１ａがレバー用付勢部材１ｂ（図中右側）へスライド移動することが防止される。これによりレバー部材１ａは第２姿勢を維持する。
【００９２】
図８に示されるように、レバー部材１ａがレバー用付勢部材１ｂ側へスライド移動し、かつレバー部材１ａが第２姿勢を維持した状態で、スピンナー１とファン部材４との組立体がレンジフードに取り付けられる。
【００９３】
具体的には、レバー部材１ａが第２姿勢を維持した状態で、ベース部材２の貫通孔２ｅにモータ６の回転軸６ｂが挿入される。これにより回転軸６ｂの雄ネジ部６ｄがレバー部材１ａの貫通孔１ａｅに挿入される。
【００９４】
レバー部材１ａが第２姿勢にあるため、雄ネジ部６ｄは貫通孔１ａｅの穴部ＲＢ内に挿入される。この穴部ＲＢは雄ネジ部６ｄの外径よりも大きな開口径を有している。このため雄ネジ部６ｄはレバー部材１ａと干渉することなく、貫通孔１ａｅ内に挿入され得る。
【００９５】
さらに回転軸６ｂが挿入されることにより、回転軸６ｂが作動部材１ｃを作動用付勢部材１ｄの付勢力に抗して下方へ押し込む。作動部材１ｃが下方に押し込まれると、爪部１ｃｂと引っ掛け部１ａｄとの係合が解除される。
【００９６】
これによりレバー部材１ａはレバー用付勢部材１ｂの付勢力により操作部１ａｂがスピンナー本体１ｅの外部へ突き出す方向（図中右側）にスライド移動する。
【００９７】
レバー部材１ａが上記のようにスライド移動することにより、図５に示されるように、レバー部材１ａが第１姿勢となる。これによりレバー部材１ａの雌ネジ部ＲＡ１が回転軸６ｂの雄ネジ部６ｄに噛み合う。またレバー用付勢部材１ｂの付勢力によりレバー部材１ａの雌ネジ部ＲＡ１と回転軸６ｂの雄ネジ部６ｄとの噛み合い状態が維持される。以上によりスピンナー１およびファン部材４は、ネジ部の締め上げ無しにワンタッチ操作でモータ６の回転軸６ｂに固定される。
【００９８】
なおスピンナー１はベース部材２に対して相対回転可能に取り付けられている。このため上記のようにスピンナー１およびファン部材４の組立体が回転軸６ｂに取り付けられた状態において、スピンナー１をベース部材２および回転軸６ｂに対して相対的に回転させることができる。これにより、レバー部材１ａの雌ネジ部ＲＡ１と回転軸６ｂの雄ネジ部６ｄとの噛み合いがさらに締め上げられてもよい。
【００９９】
また回転軸６ｂから突き出た突出部６ｃとファン部材４の嵌合部２ｄとが互いに嵌合することにより、ファン部材４は回転軸６ｂに対して相対回転不能に取り付けられている。このため回転軸６ｂがモータ本体６ａから駆動力を受けて回転すると、ファン部材４は回転軸６ｂとともに回転する。
【０１００】
なおスピンナー１およびファン部材４を回転軸６ｂからワンタッチ操作で取り外す際には、図５に示される状態から、レバー部材１ａの操作部１ａｂがスピンナー本体１ｅの内部へ押し込まれるように操作される。この押し込み操作により、図８に示されるように、レバー部材１ａがレバー用付勢部材１ｂ側（図中左側）にスライド移動する。これによりレバー部材１ａが第２姿勢となって、レバー部材１ａの雌ネジ部ＲＡ１と回転軸６ｂの雄ネジ部６ｄとの噛み合い状態が解除される。このためスピンナー１をベース部材２および回転軸６ｂに対して相対的に回転させることなく、レバー部材１ａの操作部１ａｂを押し込むようにスライド操作しながらスピンナー１およびファン部材４を回転軸６ｂから引き抜くというワンタッチ操作で、スピンナー１およびファン部材４を回転軸６ｂから取り外すことができる。
【０１０１】
次に、スピンナー１とファン部材４との組立体をモータ６の回転軸６ｂに螺合により取り付ける方法について説明する。
【０１０２】
図１０に示される状態では、上記のとおりレバー部材１ａは上記第１姿勢をとっている。このためスピンナー１とファン部材４との組立体をモータ６の回転軸６ｂに螺合により取り付ける場合には、この状態で、ベース部材２の貫通孔２ｅにモータ６の回転軸６ｂが挿入される。
【０１０３】
図５に示されるように、回転軸６ｂにおける雄ネジ部６ｄの先端がレバー部材１ａに達した時点から、回転軸６ｂに対してスピンナー１が相対的に回転される。この回転によりレバー部材１ａの雌ネジ部ＲＡ１が回転軸６ｂの雄ネジ部６ｄにねじ込まれる。これによりスピンナー１とファン部材４との組立体をモータ６の回転軸６ｂに螺合により取り付けることができる。
【０１０４】
またスピンナー１およびファン部材４を回転軸６ｂから螺合により取り外す際には、図５に示される状態から、スピンナー１がベース部材２および回転軸６ｂに対して相対的に回転される。レバー部材１ａの雌ネジ部ＲＡ１と回転軸６ｂの雄ネジ部６ｄとの螺合状態が解除されるまでスピンナー１が回転軸６ｂなどに対して回転されることにより、スピンナー１およびファン部材４を回転軸６ｂから取り外すことができる。
【０１０５】
＜作用効果＞
次に、本実施の形態におけるスピンナー１（取付アダプタ）およびレンジフード１０の効果について説明する。
【０１０６】
本実施の形態によれば、レバー部材１ａは、第１姿勢（図５）と第２姿勢（図８）との間でスライド可能である。またレバー部材１ａは、第１姿勢において回転軸６ｂの雄ネジ部６ｄと噛み合う雌ネジ部ＲＡ１と、第２姿勢において雄ネジ部６ｄと雌ネジ部ＲＡ１との噛み合いが解除されるように回転軸６ｂを挿通する穴部ＲＢとを有している。このためレバー部材１ａの姿勢を第１姿勢に操作することにより、スピンナー１を回転軸６ｂの雄ネジ部６ｄに螺合により着脱することが可能となる。またレバー部材１ａの姿勢を第２姿勢に操作することにより、回転軸６ｂの雄ネジ部６ｄとレバー部材１ａの雌ネジ部ＲＡ１との係合を解除した状態でスピンナー１を回転軸６ｂに着脱することが可能となる。上記のようにレバー部材１ａが油汚れ、錆などにより他の部材（たとえばスピンナー本体１ｅ）と固着した場合でも、レバー部材１ａを操作することなしに、スピンナー１を螺合により回転軸６ｂに対して着脱することができる。よって油汚れ、錆などによる固着が生じてもファンの着脱が容易である。
【０１０７】
また本実施の形態によれば、図７（Ａ）、（Ｂ）に示されるように、雌ネジ部ＲＡ１を有するネジ穴ＲＡと穴部ＲＢとは互いに連通している。このため回転軸６ｂの雄ネジ部６ｄをネジ穴ＲＡと穴部ＲＢとの間で移動させることが可能となる。
【０１０８】
また本実施の形態によれば、図７（Ａ）、（Ｂ）に示されるように、ネジ穴ＲＡは雌ネジ部ＲＡ１と穴部ＲＢとの間に位置する噛み合い部ＲＡ２を有している。この噛み合い部ＲＡ２は、雌ネジ部ＲＡ１から穴部ＲＢに向かって雌ネジ部ＲＡ１の接線方向に直線状に延び、かつ雄ネジ部６ｄに噛み合う。これにより回転軸６ｂの雄ネジ部６ｄが雌ネジ部ＲＡ１からずれた場合でも雄ネジ部６ｄを噛み合い部ＲＡ２と噛み合わせることができ、回転軸６ｂからスピンナー１およびファン部材４が外れることを防止できる。以下、このことを図１２（Ａ）、（Ｂ）を用いて説明する。
【０１０９】
図１２（Ａ）に示される比較例のように、仮にネジ穴ＲＡが半円の雌ネジ部ＲＡ１のみである場合、回転軸６ｂの雄ネジ部６ｄが雌ネジ部ＲＡ１からずれると、雄ネジ部６ｄと雌ネジ部ＲＡ１との噛み合いが解除されてしまう。この場合、スピンナー１およびファン部材４が回転軸６ｂからはずれてしまう。
【０１１０】
これに対して本実施の形態においては、図１２（Ｂ）に示されるように、雌ネジ部ＲＡ１に噛み合い部ＲＡ２が接続されている。これにより回転軸６ｂの雄ネジ部６ｄが雌ネジ部ＲＡ１からずれた場合でも、雄ネジ部６ｄは噛み合い部ＲＡ２と噛み合う。このように回転軸６ｂの雄ネジ部６ｄが噛み合い部ＲＡ２と噛み合うため、仮に雄ネジ部６ｄが雌ネジ部ＲＡ１からずれても、スピンナー１およびファン部材４が回転軸６ｂからはずれることが防止される。
【０１１１】
また本実施の形態によれば、レバー部材１ａに雌ネジ部ＲＡ１が設けられているため、レバー部材１ａ以外の他の部材に雌ネジ部を設けた構成よりも、部品点数を少なくすることができる。このためスピンナー１の高さ、幅などの寸法を小さくすることができる。
【０１１２】
またレバー部材１ａ以外の他の部材に雌ネジ部を設けた場合、レバー部材１ａにより他の部材を操作する必要があるため、レバー操作力にバラツキが生じやすい。これに対して本実施の形態によれば、レバー部材１ａに雌ネジ部ＲＡ１が設けられているため、雌ネジ部を設けた他の部材をレバー部材１ａで操作する必要がない。このためレバー部材１ａによる操作力のバラツキが小さくなり操作力が安定化する。
【０１１３】
また本実施の形態によれば図７（Ｂ）に示されるように、噛み合い部ＲＡ２は山部と谷部とを有している。山部および谷部の各々は、雌ネジ部ＲＡ１から穴部ＲＢに向かう方向に直線状に延びている。山部は雌ネジ部ＲＡ１のネジ山部に繋がり、谷部は雌ネジ部ＲＡ１のネジ谷部に繋がっている。これにより回転軸６ｂの雄ネジ部を雌ネジ部ＲＡ１と穴部ＲＢとの間でスムーズに移動させることが可能となる。
【０１１４】
また本実施の形態によれば図７（Ａ）に示されるように、噛み合い部ＲＡ２は平面視において幅ＤＡ、ＤＢを維持しながら雌ネジ部ＲＡ１から穴部ＲＢへ延びている。これにより回転軸６ｂの雄ネジ部６ｄが雌ネジ部ＲＡ１と穴部ＲＢとの間で移動する間の全体において噛み合い部ＲＡ２と噛み合わせることが可能となる。このため雄ネジ部６ｄが雌ネジ部ＲＡ１からずれた場合でも、スピンナー１およびファン部材４が回転軸６ｂからはずれることが防止される。
【０１１５】
また本実施の形態によれば図７（Ａ）に示されるように、穴部ＲＢの開口径ＤＲは、雌ネジ部ＲＡ１の谷の径よりも大きい。これにより回転軸６ｂの雄ネジ部６ｄがネジ穴ＲＡに配置されたときには雌ネジ部ＲＡ１に噛み合わせることができるとともに、穴部ＲＢに配置されたときには穴部ＲＢと干渉させないことができる。
【０１１６】
また本実施の形態によれば図７（Ｂ）に示されるように、噛み合い部ＲＡ２は、雌ネジ部ＲＡ１の高さ全体に亘って設けられている。これにより回転軸６ｂの雄ネジ部６ｄを雌ネジ部ＲＡ１と穴部ＲＢとの間でスムーズに移動させることが可能となる。
【０１１７】
また本実施の形態によれば図７（Ｂ）に示されるように、ネジ穴ＲＡの延びる方向（一点鎖線Ｌ１の延びる方向）と穴部ＲＢの延びる方向（一点鎖線Ｌ２の延びる方向）とは互いに平行である。これによりレバー部材１ａをスライド移動させることで、回転軸６ｂの雄ネジ部６ｄをネジ穴ＲＡと穴部ＲＢとのいずれかに配置することができる。
【０１１８】
また本実施の形態によれば図１１に示されるように、スピンナー１は、レバー部材１ａが第２姿勢となるようにレバー部材１ａをロックする作動部材１ｃを有している。これによりレバー部材１ａを第２姿勢で保持することができる。よってレバー部材１ａが第２姿勢にある状態で回転軸６ｂを穴部ＲＢに挿入する作業が容易となる。
【０１１９】
また本実施の形態によれば図１１に示されるように、作動部材１ｃは、レバー部材１ａに引っ掛ける爪部１ｃｂを有している。爪部１ｃｂがレバー部材１ａに引っ掛けられることにより、レバー部材１ａが第２姿勢を維持するように作動部材１ｃがレバー部材１ａをロックする。これにより作動部材１ｃの爪部１ｃｂをレバー部材１ａに引っ掛けるという簡易な構成で、レバー部材１ａが第２姿勢を維持するように作動部材１ｃによってレバー部材１ａをロックすることが可能となる。
【０１２０】
上記実施の形態においては、排気用ファン３を回転させる駆動源としてモータ６について説明したが、駆動源はモータ６に限定されず、排気用ファン３を回転可能なものであればよい。
【０１２１】
また上記実施の形態においては、図５に示されるように、回転軸６ｂとスピンナー１とは、回転軸６ｂの回転方向に対して回転軸６ｂとスピンナー１との螺合が締まるように構成されている。具体的には回転軸６ｂの雄ネジ部６ｄが回転軸６ｂの回転方向に対して逆ネジとなっている。これにより回転軸６ｂの回転により回転軸６ｂとスピンナー１とが強固に締結されることになる。
【０１２２】
また上記実施の形態においては、スピンナー１がファン部材４に相対回転可能に取り付けられた構成について説明したが、スピンナー１はファン部材４と別体であってもよい。
【０１２３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２４】
１  スピンナー、１ａ  レバー部材、１ａａ  レバー本体、１ａｂ  操作部、１ａｃ  付勢部材保持部、１ａｄ  引っ掛け部１ａｅ，１ｇｃ，２ｅ，３ｂａ  貫通孔、１ｂ  レバー用付勢部材、１ｃ  作動部材、１ｃａ  作動部本体、１ｃｂ  爪部、１ｄ  作動用付勢部材、１ｅ  スピンナー本体、１ｆ  カバー部材、１ｆａ  カバー部本体、１ｆｂ  収容部、１ｇ  押さえ部材、１ｇａ  本体、１ｇｂ  内方張り出し部、２  ベース部材、２ａ  円筒部、２ｂ  円環部、２ｃ  フランジ部、２ｄ  嵌合部、３  排気用ファン、３ａ  ファンブレード、３ｂ  上部支持板、３ｃ  下部支持板、４  ファン部材、６  モータ、６ａ  モータ本体、６ｂ  回転軸、６ｃ  突出部、６ｄ  雄ネジ部、７ａ，７ｂ，７ｃ  ボルト、８  ファンケーシング、８ａ  吸込口、８ｂ，１１ａ  内部空間、１０  レンジフード、１１  本体ハウジング、１２  フードケース、１３  整流板、１４  内装パネル、１５  隙間、ＲＡ  ネジ穴、ＲＡ１  雌ネジ部、ＲＡ２  噛み合い部、ＲＢ  穴部。
【図１】
2020105935.tif 000003
【図２】
2020105935.tif 000004
【図３】
2020105935.tif 000005
【図４】
2020105935.tif 000006
【図５】
2020105935.tif 000007
【図６】
2020105935.tif 000008
【図７】
2020105935.tif 000009
【図８】
2020105935.tif 000010
【図９】
2020105935.tif 000011
【図１０】
2020105935.tif 000012
【図１１】
2020105935.tif 000013
【図１２】
2020105935.tif 000014